(57)【特許請求の範囲】
【請求項１】
（１）２次元の映像信号または（２）右眼用の映像信号と左眼用の映像信号が１枚のピクチャ内に混在し、前記２次元映像信号と同じ画素数を有する３次元の映像信号を取得する取得部と、
前記取得した映像信号を処理して記録用映像信号に変換する際の変換モードを、前記映像信号を２次元の記録用映像信号に変換する２次元モードと、前記映像信号を３次元の記録用映像信号に変換する３次元モードと、のいずれかに設定する変換モード設定部と、
前記２次元モードと前記３次元モードのそれぞれにおいて前記映像信号を変換処理する際に使用可能な、記録レートを特定する少なくとも一つの記録モードを設定する記録モード設定部と、
設定された変換モード及び設定された記録モードに基づいて前記映像信号を処理して記録用映像信号に変換する変換部と、
を備え、
前記記録モード設定部は、前記変換モード設定部が２次元モードを設定している時に設定できる記録モードの組み合わせと前記変換モード設定部が３次元モードを設定している時に設定できる記録モードの組み合わせとが異なるように記録モードを設定し、
前記２次元モードは第１の記録モードから第ｍの記録モードまでそれぞれ記録する際の記録レートが異なるモードを有し、前記３次元モードは第１の記録モードから第ｎの記録モードまでそれぞれ記録する際の記録レートが異なるモードを有し、
前記２次元モードにおける記録レートが最も低い記録モードと、前記３次元モードにおける記録レートが最も低い記録モードとを比較した場合、常に前記３次元モードにおける記録モードの記録レートが高い、
映像信号変換装置。
【請求項２】
（１）２次元の映像信号または（２）右眼用の映像信号と左眼用の映像信号が１枚のピクチャ内に混在し、前記２次元映像信号と同じ画素数を有する３次元の映像信号を取得し、
前記取得した映像信号を処理して記録用映像信号に変換する際の変換モードを、前記映像信号を２次元の記録用映像信号に変換する２次元モードと、前記映像信号を３次元の記録用映像信号に変換する３次元モードと、のいずれかに設定し、
前記２次元モードと前記３次元モードのそれぞれにおいて前記映像信号を変換処理する際に使用可能な、記録レートを特定する少なくとも一つの記録モードを設定し、
設定された変換モード及び設定された記録モードに基づいて前記映像信号を処理して記録用映像信号に変換し、
前記記録モードを設定する際、２次元モードを設定している時に設定できる記録モードの組み合わせと３次元モードを設定している時に設定できる記録モードの組み合わせとが異なるように記録モードを設定し、
前記２次元モードは第１の記録モードから第ｍの記録モードまでそれぞれ記録する際の記録レートが異なるモードを有し、前記３次元モードは第１の記録モードから第ｎの記録モードまでそれぞれ記録する際の記録レートが異なるモードを有し、
前記２次元モードにおける記録レートが最も低い記録モードと、前記３次元モードにおける記録レートが最も低い記録モードとを比較した場合、常に前記３次元モードにおける記録モードの記録レートが高い、
映像信号変換方法。
【発明の詳細な説明】
【技術分野】
【０００１】
本発明は、入力ストリームを３Ｄ映像または、２Ｄ映像に変換して光ディスク、磁気ディスクあるいはフラッシュメモリ等の記憶メディア上に記録する映像信号変換装置、映像信号変換方法に関する。
【背景技術】
【０００２】
従来、３Ｄ映像を符号化する方式として、様々な方式が提案されている。ここで、３Ｄ映像とは、第１視点の映像信号（以下、第１視点映像信号と称す）と、当該第１視点とは異なる第２視点の映像信号（以下、第２視点映像信号と称す）で構成された映像信号により生成される映像である。第１視点映像信号と第２視点映像信号は、いずれか一方が右目用の映像信号で、もう一方が左目用の映像信号である。また、第１視点の映像信号のみで構成された映像信号を２Ｄ映像と称す。
【０００３】
３Ｄ映像を符号化する方式として、例えば、第１視点映像信号について、２Ｄ映像と同様の方式で符号化し、第２視点映像信号について、同時刻の第１視点映像信号のピクチャを参照ピクチャとして動き補償を行う方式が提案されている（以下、視差補償方式と称す）。この方式は、２Ｄ映像を符号化した場合と比べて、第１視点映像信号と第２視点映像信号の解像度を下げることなく符号化できるというメリットがある。
【０００４】
また、３Ｄ映像を符号化する方式のその他の例としては、第１視点映像信号と第２視点映像信号をそれぞれ水平方向に１／２に縮小し、縮小した映像信号を左右に並べ、２Ｄ映像と同様の方式で符号化する方式が提案されている。この場合、符号化ストリームのヘッダ情報に３Ｄ映像であるということを示す情報を追加することにより、２Ｄ映像の符号化ストリームと、３Ｄ映像の符号化ストリームを判別する。
【０００５】
従来の特許文献１には、手前の画像（視差大）の量子化値を小さくし、奥の方の画像（視差小）の量子化値を大きくするように各量子化値を計算する符号化装置が記載されている。
【先行技術文献】
【特許文献】
【０００６】
【特許文献１】特開平６−１１３３３４号公報
【発明の概要】
【発明が解決しようとする課題】
【０００７】
映像を量子化すると、量子化値（例えば記録レート）に応じてブロックノイズやモスキートノイズなどの符号化歪みが発生する。また、３Ｄ映像を量子化した場合には、ブロックノイズやモスキートノイズなどの符号化歪みの現れ方が左右の映像で異なってくる。左右の目で知覚する映像に大きな差異があると、ユーザは映像を視聴した際３Ｄ映像として認識し辛くなる。
【０００８】
本発明はかかる課題を解決するためになされたものであり、映像形式の如何によらず、ユーザが良好に認識できる映像を提示可能な映像信号変換装置を提供することを目的とする。
【課題を解決するための手段】
【０００９】
本発明の映像信号変換装置は、映像信号を処理して記録用映像信号に変換する際の変換モードを、前記映像信号を２次元の記録用映像信号に変換する２次元モードと、前記映像信号を３次元の記録用映像信号に変換する３次元モードと、のいずれかに設定する変換モード設定部と、前記２次元モードと前記３次元モードのそれぞれにおいて前記映像信号を変換処理する際に使用可能な、記録レートを特定する少なくとも一つの記録モードを設定する記録モード設定部と、設定された変換モード及び設定された記録モードに基づいて前記映像信号を処理して記録用映像信号に変換する変換部と、を備え、前記記録モード設定部は、前記変換モード設定部が２次元モードを設定している時に設定できる記録モードの組み合わせと前記変換モード設定部が３次元モードを設定している時に設定できる記録モードの組み合わせとが異なるように記録モードを設定する。
【００１０】
このようにすれば、映像信号変換装置は、３次元モードに設定しているときと、２次元モードに設定しているときとで、ユーザに対して、組み合わせの異なる記録モードを提示できる。これにより、映像信号の変換動作を設定する際、２Ｄ映像と、３Ｄ映像とのそれぞれの映像特性に合った記録モードを設定可能にすることが出来る。３Ｄ映像においては、２Ｄ映像と比較して、ユーザが映像を視認する際に、ブロックノイズやモスキートノイズなどの符号化歪みが画質に対してより悪い影響を及ぼす。３Ｄ映像の記録時と２Ｄ映像の記録時において利用できる記録モードを異ならせることで、２Ｄ映像の記録時には、多様な記録モードの利用を可能としつつ、３Ｄ映像の記録時には、ブロックノイズ等が発生し易い低記録レートの記録モードの利用を禁止することができる。これにより、２Ｄ映像の記録時のユーザの利便性を保持しつつ、画質の悪い３Ｄ映像の記録を防止することが可能となる。したがって、映像形式の如何によらず、ユーザが良好に視認できる映像を提示可能な映像信号変換装置を提供することができる。
【００１１】
また、好ましくは、前記記録モード設定部は、前記３次元モードにおいて、前記２次元モードで設定できる記録モードのうち、少なくとも記録レートが最も低い記録モードの設定を禁止する。
【００１２】
このようにすれば、３次元モードが設定されている場合、ユーザは、２次元モードで選択可能な記録モードのうち、少なくとも記録レートが最も低い記録モードを選択することができない。これにより、ユーザが映像を視認する際における、ブロックノイズやモスキートノイズなどの符号化歪みによる影響を確実に少なくすることができる。したがって、ユーザが３次元モードでいずれの選択可能な記録モードを設定した場合であっても、記録用映像信号の最低画質を保証できる。
【００１３】
また、好ましくは、前回前記記録モード設定部が設定した記録モードを示す情報を記憶する記憶部をさらに備え、前記記録モード設定部は、少なくとも前記記憶部で記憶されている情報に基づいて前記変換部が変換処理する際の記録モードを設定しようとする動作モードを、有し、前記動作モードにおいて、前記記憶部で記憶されている情報が示す記録モードが、前記変換モード設定部が設定している２次元モードまたは３次元モードにおいて設定できない記録モードである場合、前記記憶部で記憶されている情報が示す記録モードに替えて他の記録モードを設定する。
【００１４】
このようにすれば、前回に設定した記憶モードを記憶することができる。そして、記録した記録モードを用いて記録モードを設定することができる。さらに、前回の記録モードが現在設定している２次元モードまたは３次元モードにおいて設定できない場合でも、前回の記録モードに替えて他の記録モードを設定することができる。これにより、ユーザの操作性を向上させることが出来る。
【００１５】
また、好ましくは、前記記録モード設定部は、前記他の記録モードとして、前記変換モード設定部が設定している２次元モードまたは３次元モードにおいて設定できる記録モードのうちいずれかの記録モードを設定する。
【００１６】
このようにすれば、映像信号変換装置は、２次元モードまたは３次元モードを設定した際、現在設定している２次元モードまたは３次元モードで設定できる記録モードを自動的に設定できる。これにより、ユーザは、常に現在のモードで設定できる記録モードから操作を開始または設定することができる。
【００１７】
また、好ましくは、前記記録モード設定部は、前記他の記録モードとして、前記変換モード設定部が設定している２次元モードまたは３次元モードにおいて設定できる記録モードのうち記録レートが最も低い記録モードを設定する。
【００１８】
このようにすれば、２次元モードまたは３次元モードを設定した際、設定した２次元モードまたは３次元モードにおいて設定できる記録モードのうち記録レートが最も低い記録モードを自動的に設定できる。これにより、ユーザは常に設定した２次元モードまたは３次元モードで設定できる記録モードのうち記録レートが最も低い記録モードから操作を開始または設定することができる。
【００１９】
また、好ましくは、前記記録モード設定部は、前記他の記録モードとして、前記変換モード設定部が設定している２次元モードまたは３次元モードにおいて設定できる記録モードのうち記録レートが最も高い記録モードを設定する。
【００２０】
このようにすれば、２次元モードまたは３次元モードを設定した際、設定した２次元モードまたは３次元モードにおいて設定できる記録モードのうち記録レートが最も高い記録モードを自動的に設定できる。これにより、ユーザは常に設定した２次元モードまたは３次元モードで設定できる記録モードのうち記録レートが最も高い記録モードから操作を開始または設定することができる。
【００２１】
また、好ましくは、２次元モードにおいて前回前記記録モード設定部が設定した記録モードを示す情報と、３次元モードにおいて前回前記記録モード設定部が設定した記録モードを示す情報と、を記憶する記憶部をさらに備える。
【００２２】
このようにすれば、２次元モードおよび３次元モードにおいて前回に設定した記録モードを示す情報を記憶することができる。これにより、２次元モードにおけるリジューム機能と３次元モードにおけるリジューム機能を独立に実現できる。
【００２３】
また、好ましくは、前記記録モード設定部は、少なくとも前記記憶部で記憶されている情報に基づいて前記変換部が変換処理する際の記録モードを設定しようとする動作モードを有する。
【００２４】
このようにすれば、前回に設定した記録モードを現在の２次元モードおよび３次元モードにおいて設定することができる。これにより、２次元モードにおけるリジューム機能と３次元モードにおけるリジューム機能を独立に実現できる。
【００２５】
また、好ましくは、前回前記記録モード設定部で設定された記録モードを示す情報を記憶する記憶部と、前記記録モード設定部が設定する記録モードを選択するために用いる選択画面を生成する画面生成部と、をさらに備え、前記画面生成部は、前記記憶部で記憶されている情報に基づいて、現在設定されている２次元モードまたは３次元モードにおいて前記記録モード設定部が設定できる記録モードのうちいずれかを強調表示する。
【００２６】
このようにすれば、記憶部に記憶される記録モードを基に、現在設定されている２次元モードまたは３次元モードにおいて設定できる記録モードのいずれかが強調表示されている画面をユーザに提示することができる。これにより、ユーザの操作性を向上させることができる。
【００２７】
また、好ましくは、前記記録モード設定部が設定する記録モードを選択するために用いる選択画面を生成する画面生成部をさらに備え、前記画面生成部は、前記変換モード設定部が３次元モードを設定している場合、前記変換モード設定部が２次元モードを設定している場合と比較して前記記録モード設定部で設定できる記録モードが制限されていることを示す情報を付加した選択画面を生成する。
【００２８】
このようにすれば、３次元モードを設定している場合、ユーザに対して、２次元モードで設定できる記録モードのうち、一部の記録モードが制限されていることを視認させることが出来る。これにより、ユーザは、３次元モードを設定した場合であっても、ユーザの映像信号変換装置の動作に対する違和感を低減させることが出来る。
【００２９】
また、好ましくは、前記記録モード設定部で設定できる記録モードが制限されていることを示す情報は、前記変換モード設定部が２次元モードを設定しているときに前記記録モード設定部で設定できる記録モードのうち、記録レートが低い記録モードが禁止されていることを示す情報を含む。
【００３０】
このようにすれば、３次元モードを設定している場合、ユーザに対して、２次元モードで設定できる記録モードのうち、記録レートの低い記録モードが制限されていることを視認させることが出来る。これにより、３次元モードを設定し選択できる記録モードが制限されている場合に、記録モードが制限されていることについてユーザが誤解するのを低減できる。
【００３１】
また、好ましくは、前記記録モード設定部が設定する記録モードを選択するために用いる選択画面を生成する画面生成部をさらに備え、前記画面生成部は、前記変換モード設定部が３次元モードを設定している場合、前記記録モード設定部で設定できる記録モードのうち記録レートが高い記録モードを推奨する情報を付加した選択画面を生成する
【００３２】
このようにすれば、３次元モードを設定している場合、ユーザに対して、最も記録レートの高い記録モードを薦めることが出来る。これにより、ユーザが最も記録レートの高い記録モードを選択する可能性を向上させることが出来る。
【００３３】
また、好ましくは、前記記録モード設定部が設定する記録モードを選択するために用いる選択画面を生成する画面生成部をさらに備え、前記画面生成部は、前記変換モード設定部が３次元モードを設定している場合、前記変換モード設定部が２次元モードを設定しているときに前記記録モード設定部で設定できる記録モードが制限されていることを示す情報を付加した選択画面を生成する。
【００３４】
このようにすれば、３次元モードを設定している場合、ユーザに対して、２次元モードで設定できる記録モードのうち、一部の記録モードが制限されていることを視認させることが出来る。これにより、ユーザは、３次元モードを設定した場合であっても、ユーザの映像信号変換装置の動作に対する違和感を低減させることが出来る。
【発明の効果】
【００３５】
本発明の映像信号変換装置によれば、入力ストリームの変換動作を設定する際、２Ｄ映像と、３Ｄ映像とのそれぞれの映像特性に合った記録モードを選択可能にすることが出来る。３Ｄ映像においては、２Ｄ映像と比較して、ユーザが映像を視認する際に、ブロックノイズやモスキートノイズなどの符号化歪みが画質に対してより悪い影響を及ぼす。３Ｄ映像の記録時と２Ｄ映像の記録時において利用できる記録モードを異ならせることで、２Ｄ映像の記録時には、多様な記録モードの利用を可能としつつ、３Ｄ映像の記録時には、ブロックノイズ等が発生し易い低記録レートの記録モードの利用を禁止することができる。これにより、２Ｄ映像の記録時のユーザの利便性を保持しつつ、画質の悪い３Ｄ映像の記録を防止することが可能となる。したがって、映像形式の如何によらず、ユーザが良好に視認できる映像を提示可能な映像信号変換装置を提供することができる。
【図面の簡単な説明】
【００３６】
【図１】本実施形態におけるレコーダ装置１の全体構成を示す図
【図２】本実施形態に係る信号処理部１０４の構成を示す図
【図３】本実施形態に係る信号処理部１０４が、録画予約を行う場合に実行する処理の一例を示すフローチャート
【図４】本実施形態１における番組表の一例を示す図
【図５】本実施形態１に係る信号処理部１０４が、録画を行う場合に実行する処理の一例を示すフローチャート
【図６】本実施形態１における画面生成部２０５が、録画条件の選択肢を提示する予約画面の生成処理の一例を示すフローチャート
【図７】本実施形態１における画面生成部２０５が、録画条件の選択肢を提示する画面の一例を示す図
【図８】本実施形態１における警告メッセージを表示した予約画面を示す図
【図９】本実施形態１における警告メッセージを表示した予約画面を示す図
【図１０】本実施形態１における画面生成部２０５が、予約画面に警告メッセージを付加する処理の一例を示すフローチャート
【図１１】本実施形態１における画面生成部２０５が、３次元モードを設定している場合に生成する予約画面の一例を示す図
【図１２】本実施形態２における信号処理部１７０２の構成を示す図
【図１３】本実施形態２における記録モードを選択状態とする処理の一例を示すフローチャート
【図１４】本実施形態２におけるカーソル移動の一例を示す図
【図１５】本実施形態２におけるカーソル移動の一例を示す図
【図１６】本実施形態２において画面生成部１７０３が生成する画面を示す図
【図１７】本実施形態２におけるカーソル移動の一例を示す図
【発明を実施するための形態】
【００３７】
（実施形態１）
１−１．レコーダ装置とその周辺装置
以下、本実施形態１におけるレコーダ装置１について図面を参照しながら説明する。
【００３８】
図１は、レコーダ装置１の全体構成を示す図である。図１に示すように、レコーダ装置１は、ディスプレイ２、ＨＤＤ(hard disk drive)装置４、ＳＤカード（secure digital card)５及び、アンテナ６と接続される。レコーダ装置１は、ＢＤディスク(Blue-ray Disc: 登録商標）３、ＨＤＤ装置４、ＳＤカード５、及びアンテナ６から出力される種々の映像信号（入力ストリーム、放送波等）を入力する。そして、これらの信号を処理し、ディスプレイ２に映像として表示する。
【００３９】
また、レコーダ装置１は、リモコン装置７から出力される信号を受信する。
【００４０】
ディスプレイ２は、信号処理部１０４から入力される表示信号に基づいて表示画面を表示する。ディスプレイ２は、例えば、液晶ディスプレイで実現することが可能である。なお、ディスプレイ２は、３次元映像信号に基づいて３Ｄ映像を表示可能な表示デバイスが好ましい。
【００４１】
ＨＤＤ装置４は、映像信号を蓄積する記録装置である。ＨＤＤ装置４は、例えば、外付けハードディスク装置で実現できる。
【００４２】
ＳＤカード５は、映像信号を蓄積する記録媒体である。ＳＤカード５は、例えば、ＳＤカード、メモリカード等の半導体記録素子で実現することが出来る。
【００４３】
アンテナ６は、外部から送信される映像信号の受信を行う機能を有する。
【００４４】
リモコン装置７は、ユーザからの操作を受け付ける操作デバイスである。リモコン装置７は、複数の押下操作可能なボタンを有する。このボタンがユーザにより操作されることにより、リモコン装置７は信号を生成する。リモコン装置７は、生成した信号を、無線を介してレコーダ装置１に送信する。これによって、レコーダ装置１は、ユーザの操作を検知できる。
【００４５】
１−２．レコーダ装置
以下、レコーダ装置１の具体的な構成について図面を参照しながら説明する。
【００４６】
レコーダ装置１は、図１に示すように、ドライブ装置１０１と、入出力インターフェース部１０２（以下、「入出力ＩＦ部１０２」という）と、チューナ１０３と、信号処理部１０４と、受信部１０５と、バッファメモリ１０６と、フラッシュメモリ１０７と、を備える。
【００４７】
ドライブ装置１０１は、ディスクトレイを備え、このディスクトレイによって収納されたＢＤディスク３から映像信号を読み出す。また、ドライブ装置１０１は、信号処理部１０４から映像信号が入力される場合、ディスクトレイに収納されるＢＤディスク３にこの映像信号の書込みを行なう。
【００４８】
入出力ＩＦ部１０２は、ＨＤＤ装置４及び、ＳＤカード５との接続を可能にするインターフェースである。入出力ＩＦ部１０２は、ＨＤＤ装置４及びＳＤカード５と信号処理部１０４との間で、コントロール信号や映像信号（入力ストリーム、符号化ストリーム、非圧縮の映像ストリーム等）のやり取りを可能とする。入出力ＩＦ部１０２は、ＨＤＤ装置４または、ＳＤカード５から入力した入力ストリームを、信号処理部１０４に送信する。また、入出力ＩＦ部１０２は、信号処理部１０４から入力した符号化ストリームまたは、非圧縮の映像ストリームを、ＨＤＤ装置４または、ＳＤカード５に送信する。例えば、入出力ＩＦ部１０２は、ＨＤＭＩコネクタ、ＳＤカードスロット、ＵＳＢコネクタ等で実現できる。なお、図１では入出力ＩＦ１０２として一つのブロックを図示したが、ＳＤカード５用のカードスロットとＨＤＤ４用のコネクタとを備えるようにしてもよい。要するに、入出力ＩＦ部１０２は外部の記録装置とのインターフェースを実現するものであればよい。
【００４９】
チューナ１０３は、アンテナ６を介して放送波を受信する。チューナ１０３は、信号処理部１０４によって指定された特定の周波数の放送波を復調して生成した入力ストリームを信号処理部１０４に出力する。これによって、信号処理部１０４は、放送波に含まれる特定の周波数の映像信号を処理し、ディスプレイ２で表示させることができる。
【００５０】
信号処理部１０４は、レコーダ装置１の各部を制御する。さらに、信号処理部１０４は、入出力ＩＦ部１０２から出力された映像信号の復号化機能及び、符号化機能を有する。信号処理部１０４は、例えば、Ｈ．２６４／ＡＶＣ符号化規格を用いて入力ストリームを符号化し、記録用ストリームとして記録する。また、信号処理部１０４は、入力ストリームを符号化せずに、非圧縮の記録用ストリームとして出力する機能を有する。つまり、信号処理部１０４は入力ストリームを記録用ストリームに変換する機能を有する。
【００５１】
また、信号処理部１０４は、入力ストリームを２Ｄ映像として変換する変換モード（以下、２次元モードと称す）と、入力ストリームを３Ｄ映像として変換する変換モード（以下、３次元モードと称す）と、を設定する機能を有する。信号処理部１０４は、２次元モードまたは３次元モードのいずれかを、リモコン装置７からの信号に基づいて設定する構成でも構わない。また、信号処理部１０４は、２次元モードまたは３次元モードのいずれかを、入力ストリームのメタ情報に基づいて設定する構成でも構わない。
【００５２】
さらに、信号処理部１０４は、入力ストリームをＢＤディスク３、ＨＤＤ装置４または、ＳＤカード５に記録する際の記録モードを制御する。記録モードとは、入力ストリームを記録用ストリームに変換する際の目標とする記録レートである。ここで、信号処理部１０４が記録用ストリームを出力する場合には、入力ストリームをそのままの状態で記録用ストリームとして出力する場合と、入力ストリームを再符号化して出力する場合とがある。入力ストリームをそのままの状態で記録用ストリームとして出力する場合、記録レートは、入力ストリームのビットレートと同じである（例えば、２４Ｍｂｐｓなど）。入力ストリームを再符号化して出力する場合、記録レートは、入力ストリームのビットレートより低くなる。
【００５３】
信号処理部１０４は、２次元モード時に設定できる複数の記録モードを備える。また、信号処理部１０４は、３次元モード時に設定できる複数の記録モードを備える。２次元モード時に設定できる記録モードと、３次元モード時に設定できる記録モードとは、組み合わせが異なる。例えば、次元モード時に設定できる記録モードが１６Ｍｂｐｓ、８Ｍｂｐｓ、３Ｍｂｐｓおよび１Ｍｂｐｓである場合、３次元モード時に設定できる記録モードは１６Ｍｂｐｓおよび８Ｍｂｐｓとなる。
【００５４】
すなわち、信号処理部１０４は２次元モード時において３Ｍｂｐｓも１Ｍｂｐｓも設定できる。しかし、信号処理部１０４は３次元モード時においてそれらを設定することができない。つまり、信号処理部１０４は２次元モード時に設定できる記録レートのうち低い記録レートを３次元モードにおいて設定できない。
【００５５】
なお、３次元モードで設定可能な記録レートを、必ずしも２次元モードでも設定可能とする必要はない。例えば、２次元モードでは１６Ｍｂｐｓ、８Ｍｂｐｓ、３Ｍｂｐｓおよび１Ｍｂｐｓを設定可能とする。一方、３次元モードでは１６Ｍｂｐｓ、１２Ｍｂｐｓおよび８Ｍｂｐｓを設定可能としてもよい。
【００５６】
このように、２次元モードの際に設定可能な記録レートの組み合わせと３次元モードの際に設定可能な記録レートの組み合わせとが異なることにより、２次元モードと３次元モードにそれぞれ適した記録レートの設定を容易にすることができる。例えば、上記のように３次元モードで低い記録レートの設定を禁止するようにしたため、３次元モードで記録用ストリームが示す映像を視聴した際、映像の歪みを感じにくくなる。
【００５７】
なお、信号処理部１０４は、３次元モードで設定可能な記録モードにおける記録レートの平均値が、２次元モードで選択可能な記録モードにおける記録レートの平均値よりも高くなるように、記録モードを設定する構成にしても構わない。
【００５８】
さらに、信号処理部１０４は、入力ストリームに各種の映像処理を施し、ディスプレイ２で表示可能な表示信号をディスプレイ２に出力する。また、信号処理部１０４は、レコーダ装置１の操作画面を生成し、ディスプレイ２に出力する。
【００５９】
信号処理部１０４は、マイクロコンピュータで構成してもよいし、ハードワイヤードな回路で構成してもよい。
【００６０】
受信部１０５は、リモコン装置７からの信号を受信して、信号処理部１０４に送信するものである。受信部１０５は、例えば、赤外線センサで実現可能である。
【００６１】
バッファメモリ１０６は、入出力ＩＦ部１０２で信号処理を施す際のワークメモリとして用いられる。チューナ１０３は、例えば、ＤＲＡＭで実現可能である。
【００６２】
フラッシュメモリ１０７は、レコーダ装置１０４が実行するプログラム等を記憶したものである。また、フラッシュメモリ１０７は、前回に信号処理部１０４が設定した記録モードを保持する。フラッシュメモリ１０７は、前回、２次元モード時に設定した記録モードおよび、前回、３次元モードの設定時に選択した記録モードを記憶する。
【００６３】
１−２−１．信号処理部
次に、信号処理部１０４の具体的な構成について図面を参照しながら説明する。以下、説明の便宜上、信号処理部１０４において、入力ストリームの映像形式に基づいて変換モードを２次元モード、または３次元モードに設定する構成を説明する。つまり、信号処理部１０４は、入力ストリームが３Ｄ映像である場合、３次元モードに設定する。また、信号処理部１０４は、入力ストリームが２Ｄ映像である場合、２次元モードを設定する。
【００６４】
図２は、本実施形態に係る信号処理部１０４の構成を示す図である。
【００６５】
図２に示すように、信号処理部１０４は、３Ｄ映像判定部２０１と、復号部２０２と、符号化部２０３と、制御部２０４と、画面生成部２０５を備える。なお、図２は、便宜上、チューナ１０３からの入力ストリームを処理する場合の例を示したものである。したがって、３Ｄ映像判定部２０１や復号部２０２に入力される信号は、チューナ１０３で受信して復調した信号である。ここで、３Ｄ映像判定部２０１や復号部２０２に入力される信号は入出力ＩＦ部１０２やドライブ装置１０１からの信号であっても構わない。
【００６６】
３Ｄ映像判定部２０１は、入力ストリームが示す映像が３Ｄ映像であるか２Ｄ映像であるかを判定する機能を有する。３Ｄ映像判定部２０１は、判定結果を制御部２０４に通知する。３Ｄ映像判定部２０１における具体的な判定方法については後述する。
【００６７】
復号部２０２は、制御部２０４の制御情報に基づいて入力ストリームを復号して復号映像信号を生成する。例えば、復号部２０２は、制御部２０４から２次元モードを示す制御情報が通知された場合、入力ストリームを２次元モードで復号し、２次元の復号映像信号を出力する。また、復号部２０２は、制御部２０４から３次元モードを示す制御情報が通知された場合、入力ストリームを３次元モードで復号し、３次元の復号映像信号を出力する。なお、復号部２０２はドライブ装置１０１から入力される入力ストリームを復号し、復号映像信号を生成してもよい。復号部２０２は、復号映像信号を符号化部２０３および画面生成部２０５に出力する。
【００６８】
符号化部２０３は、制御部２０４の制御情報に基づいて復号部が生成した復号映像信号を圧縮符号化する。例えば、符号化部２０３は、制御部２０４から２次元モードを示す制御情報が通知された場合、入力ストリームを２Ｄ映像として符号化を行う。また、符号化部２０３は、制御部２０４から３次元モードを示す制御情報が通知された場合、入力ストリームを３Ｄ映像として符号化を行う。この場合、符号化部２０３は、制御部２０４から通知される制御情報が示す記録モードで符号化を行う。符号化部２０３は、符号化して得られる符号化映像を、ドライブ装置１０１および画面生成部２０５に出力する。
【００６９】
制御部２０４は、信号処理部１０４全体の動作を制御する。制御部２０４は、３Ｄ映像判定部２０１からの通知を基に、変換モードを２次元モードまたは３次元モードに設定する。例えば、制御部２０４は、３Ｄ映像判定部２０１から入力ストリームが２Ｄ映像である旨の通知を受けた場合、変換モードを２次元モードに設定する。また、制御部２０４は、３Ｄ映像判定部２０１から入力ストリームが３Ｄ映像である旨の通知を受けた場合、変換モードを３次元モードに設定する。制御部２０４は、変換モードを設定した場合、設定した変換モードを示す制御情報を復号部２０２及び、符号化部２０３に通知する。なお、制御部２０４は、受信部１０５から２次元モードまたは３次元モードの設定指示を受けた場合、その指示にしたがって変換モードを設定する。
【００７０】
また、制御部２０４は、２次元モードの設定指示を受けた場合、２次元モードでユーザが選択できる記録モードを設定する。例えば制御部２０４は、記録レートが１６Ｍｂｐｓ、８Ｍｂｐｓ、３Ｍｂｐｓまたは１Ｍｂｐｓである記録モードを２次元モードでユーザが選択できる記録モードとして設定する。制御部２０４は、３次元モードの設定指示を受けた場合、３次元モードでユーザが選択できる記録モードを設定する。例えば制御部２０４は、記録レートが１６Ｍｂｐｓ、または１２Ｍｂｐｓである記録モードを３次元モードで選択できる記録モードとして設定する。
【００７１】
制御部２０４は、リモコン装置７から受信部１０５を介して入力した信号を基に、入力ストリームを変換する際の記録モードに関する信号を符号化部２０３に出力する。例えば、３次元モードが設定され、記録レートが１６Ｍｂｐｓの記録モードが選択状態である場合を考える。この場合、リモコン装置７からの信号を受信部１０５を介して受信すると、制御部２０４は選択状態の記録モードに関する信号を符号化部２０３に出力する。また、制御部２０４は、３次元モード時において設定可能な記録モードを、記録レートが１６Ｍｂｐｓの記録モードに設定しているとする。この場合、制御部２０４は１６Ｍｂｐｓ以外の記録モードは選択状態とできるが、設定することができない。ここで、記録モードの選択状態とは、ユーザが特定の記録モードを選択している状態を示す。また、記録モードの設定とは、制御部２０４が以降の動作において特定の記録モードを設定することを示す。
【００７２】
また、制御部２０４は選択状態にある記録モードに関する信号を画面生成部２０５に出力する。
【００７３】
画面生成部２０５は、制御部２０４からの制御情報に基づいてディスプレイ２に表示する画面を生成する。また、画面生成部２０５は、制御部２０４からの制御情報に基づいて、生成する画面で選択状態とする記録モードを設定する。さらに、画面生成部２０５は、フラッシュメモリ１０７に記憶された前回に選択した記録モードを用いて、生成する画面で選択状態とする記録モードを設定する。
【００７４】
１−３．信号処理部の動作
次に、信号処理部１０４が行う入力ストリームの記録動作について図面を参照しながら説明する。なお、説明の便宜上、信号処理部１０４は、チューナ１０３を介して放送波が受信し、それを処理してＢＤディスク３に記録するとする。
【００７５】
図３は、本実施形態に係る信号処理部１０４が、録画予約を行う場合に実行する処理の一例を示すフローチャートである。なお、ステップＳ３０１、ステップＳ３０４、ステップＳ３０８はユーザがリモコン装置７を操作して実施する処理ステップであり、ステップＳ３０２、ステップＳ３０３、ステップＳ３０５、ステップＳ３０６、ステップＳ３０７、ステップＳ３０９、ステップＳ３１０はレコーダ装置１が実施する処理ステップである。
【００７６】
１−３−１．録画予約動作
リモコン装置７は、ユーザの操作を受け付け、番組表を表示する信号（以下、表示信号と称す）をレコーダ装置１の受信部１０５へ送信する（ステップＳ３０１）。このとき、リモコン装置７は、ユーザによって、「番組表」ボタンが押下操作される。
【００７７】
次に、画面生成部２０５は、リモコン装置７からの表示信号を受信部１０５及び、制御部２０４を経由して受信する（ステップＳ３０２）
【００７８】
そして、画面生成部２０５は、受信した表示信号に従って、番組表の画面を生成する（ステップＳ３０３）。このとき、ディスプレイ２には、図４に示す番組表が表示される。
【００７９】
次に、この画面を表示したディスプレイ２を見ながら、ユーザは特定の番組を録画予約する。ユーザはリモコン装置７を操作し、画面に表示されるカーソルを用いて番組を指定する。このとき、ユーザは、リモコン装置７の決定ボタンを押下操作する。リモコン装置７は、決定ボタンが押下操作されると、選択信号を受信部１０５へ送信する（ステップＳ３０４）。
【００８０】
３Ｄ映像判定部２０１と画面生成部２０５は、受信部１０５及び制御部２０４を経由して選択信号を受信する（ステップＳ３０５）。
【００８１】
次に、３Ｄ映像判定部２０１は、チューナ１０３で放送波を受信して得た番組情報を解析し、録画予約を行う番組が３Ｄ映像の番組であるか、２Ｄ映像の番組であるかを判断する（ステップＳ３０６）。ここで、番組情報には、入力ストリームが３Ｄ映像の番組であることを示す情報（以下、３Ｄ情報と称す）または、２Ｄ映像の番組であることを示す情報（以下、２Ｄ情報と称す）が含まれている。この２Ｄ情報または３Ｄ情報は、番組ごとに付加されるメタ情報である。番組情報としては、例えばＥＰＧ（Ｅｌｅｃｔｒｏｎｉｃ  Ｐｒｏｇｒａｍ  Ｇｕｉｄｅ）などがある。
【００８２】
画面生成部２０５は、制御部２０４を経由して３Ｄ映像判定部２０１から得た情報及び選択信号に基づいて、選択信号に係る番組情報と、録画条件の選択肢を提示する予約画面とを生成する（ステップＳ３０７）。ここで、録画条件には、録画時刻、記録モードなど、ユーザによって選択可能な情報または、指定した番組に関連する情報が含まれる。ステップステップＳ３０７の詳細な動作については後述する。
【００８３】
次に、この画面を見ながら、ユーザはリモコン装置７を用いて録画条件を決定する。ユーザはリモコン装置７を操作し、予約画面に表示されるカーソルを用いて録画条件を指定する。このとき、ユーザは、リモコン装置７の決定ボタンを押下操作する。リモコン装置７は、決定ボタンが押下操作されると、選択信号を受信部１０５へ送信する（ステップＳ３０８）。
【００８４】
制御部２０４は、リモコン装置７から送信される選択信号を、受信部１０５を経由して受信する（ステップＳ３０９）。
【００８５】
制御部２０４は、受信した選択信号に基づく録画条件をフラッシュメモリ１０７に記録・保持する（ステップＳ３１０）。
【００８６】
１−３−２．録画動作
次に、信号処理部１０４が、録画予約された番組を録画する場合に実行する処理の一例について、図面を参照しながら説明する。
【００８７】
図５は、本実施形態に係る信号処理部１０４が、録画を行う場合に実行する処理の一例を示すフローチャートである。
【００８８】
まず、制御部２０４は、フラッシュメモリ１０７に記録・保持された録画条件を監視し、現在時刻が録画時刻になるまで待機する（ステップＳ３１１）。現在時刻が録画時刻になった場合、ステップＳ３１２に移行する。現在時刻が録画時刻前の場合、制御部２０４は、そのまま待機する。
【００８９】
現在時刻が録画時刻になると、制御部２０４は、復号部２０２に録画開始信号を出力する。また、制御部２０４は、符号化部２０３に録画条件に関する信号を出力する（ステップＳ３１２）。
【００９０】
そして、復号部２０２は、制御部２０４から録画開始信号を受け取ると、チューナ１０３で放送波を受信して得た入力ストリームを復号し、生成した復号画像を符号化部２０３に出力する（ステップＳ３１３）。
【００９１】
符号化部２０３は、復号部２０２が出力した復号映像信号を、制御部２０４から受け取った録画条件に基づいて圧縮符号化する（ステップＳ３１４）。
【００９２】
そして、符号化部２０３は、得られた符号化ストリームをＨＤＤ装置４、ＢＤディスク３、ＳＤカード５のいずれかに記録する（ステップＳ３１３）。なお、符号化ストリームをＨＤＤ装置４、ＢＤディスク３、ＳＤカード５のいずれに記録するかについては、リモコン装置７を介してユーザが選択することができる。また、符号化部２０３は、復号映像信号を符号化せずに記録する録画条件を受けとった場合、当該復号映像信号をそのままＨＤＤ装置４、ＢＤディスク３または、ＳＤカード５に記録する。
１−３−４．記録モードの制限
【００９３】
次に、ステップＳ３０７が実行する詳細な処理の一例について図面を参照しながら説明する。
【００９４】
図６は、画面生成部２０５が、録画条件の選択肢を提示する予約画面の生成処理の一例を示すフローチャートである。
【００９５】
また、図７は、画面生成部２０５が、録画条件の選択肢を提示する画面の一例を示す図である。ここで、図７（ａ）は、３Ｄ映像判定部２０１が２Ｄ映像の番組と判断した場合に、画面生成部２０５が生成する予約画面の一例を示す図である。また、図７（ｂ）、図７（ｃ）は、３Ｄ映像判定部２０１が３Ｄ映像の番組と判断した場合に、画面生成部２０５が生成する予約画面の一例を示す図である。
【００９６】
まず、制御部２０４は、３Ｄ映像判定部２０１から得た情報に基づいて現在受信している番組のモードが２次元モードか３次元モードかを判定する（ステップＳ４０１）。３次元モードと判定した場合、ステップＳ４０２に移行する。一方、２次元モードと判定した場合、ステップＳ４０３に移行する。なお、制御部２０４は、受信部１０５からの信号に基づいて２次元モードまたは３次元モードを設定してもよい。この場合、ユーザからの信号に基づいて２つのモードを設定することが出来る。
【００９７】
２次元モードと判定した場合（ステップＳ４０１でＮｏの場合）、制御部２０４は、特定の記録モードを設定可能とする。そして、画面生成部２０５は、この記録モードを基に例えば図７（ａ）に示す予約画面を生成する。この場合、図７（ａ）に示すように２次元モード時に制御部２０４が設定できる複数の記録モードが表示される（ステップＳ４０３）。図７（ａ）に示す予約画面は、第１の記録モードから第４の記録モードが設定可能となっている。この場合、第１の記録モードに、最も高い目標記録レートが設定されている。さらに、第１の記録モードから第４の記録モードになるにつれ、目標記録レートが低くなる。つまり、第４の記録レートが最も目標記録レートが低い。なお、画面生成部２０５はユーザが前回に２次元モード時に設定した記録モードを強調表示した画面を生成してもよい。この場合、画面生成部２０５は、フラッシュメモリ１０７に記憶される記録モードのうち、前回の２次元モード時に設定した記録モードを選択状態とする。そして、画面生成部２０５は選択状態である記録モードが強調表示された予約画面を生成する。
【００９８】
一方、３次元モードと判定した場合（ステップＳ４０１でＹｅｓの場合）、制御部２０４は、特定の記録モードのみを設定可能な状態とする。例えば、制御部２０４は２次元モードで設定可能な記録モードのうち一部の記録モードを設定可能とする。そして、画面生成部２０５は例えば図７（ｂ）に示す予約画面を生成する。この場合、図７（ｂ）に示すように３次元モードで設定可能な記録モードのみが表示される（ステップＳ４０２）。図７（ａ）と、図７（ｂ）に示すように、２次元モードと３次元モードとでは、設定可能な記録モードの組み合わせが異なる。要するに、図７（ｂ）の場合、２次元モードで設定可能な記録モードのうち、一部の記録モードが視認不可能に表示される。つまり、ユーザは、第３の記録モードと、第４の記録モードと、を、予約画面上で視認することができない。そのため、ユーザは第３の記録モードと、第４の記録モードを選択することができない。なお、画面生成部２０５はユーザが前回に３次元モード時に設定した記録モードを強調表示した画面を生成してもよい。この場合、画面生成部２０５は、フラッシュメモリ１０７に記憶される記録モードのうち、前回の３次元モード時に設定した記録モードを選択状態とする。そして、画面生成部２０５は選択状態である記録モードが強調表示された画面を生成する。
【００９９】
なお、画面生成部２０５は、図７（ｃ）に示すような予約画面を生成しても構わない。図７（ｃ）の予約画面では、２次元モードで設定可能な記録モードのうち、一部の記録モードが設定できないことを示す態様で表示される。この場合、ユーザは、第３の記録モードと、第４の記録モードとを予約画面上で視認することができる。しかし、ユーザは、第３の記録モードと第４の記録モードとを設定することができない。なお、図７（ｃ）では、第３の記録モードと第４の記録モードとは色を変えて表示される。これにより、ユーザは、第３の記録モードと第４の記録モードとが設定不可能と理解できる。さらに、図７（ｃ）は、設定不可能な記録モードにカーソルが位置する場合、例えば「３Ｄ映像の番組を録画する場合、選択された記録モードを使うことはできません。」という警告メッセージＭ１がポップアップ表示される。ここで、表示される警告メッセージＭ１は、カーソルで強調表示される記録モードは設定不可能なことを示すメッセージとなる。
【０１００】
ここで、３次元モードのとき、画面生成部２０５は、記録レートが低い記録モードのみが選択できないように予約画面を生成してもよい。例えば、画面生成部２０５は、第４の記録モードのみが選択不可能な予約画面を生成する。
【０１０１】
また、図７（ｃ）に示すように、画面生成部２０５は、記録レートの低いものから所定数の記録モードが選択できないように予約画面を生成しても構わない。さらに、画面生成部２０５は、記録レートが最も高い記録モードを除いた記録モードを選択できないように予約画面を生成しても構わない。例えば、画面生成部２０５は、第１の記録モード以外の記録モードが選択できないように予約画面を生成する。
【０１０２】
なお、３Ｄ映像の番組をリモコン装置７からの信号等に基づいて２Ｄモードで録画可能なように構成してもよい。
【０１０３】
１−３−５．警告メッセージの表示
１−３−５−１．予約画面上の警告メッセージ
以下、３次元モードにおいて設定不可能な記録モードにカーソルが位置した場合における予約画面について図面を参照しながら説明する。以下、説明の便宜上、３次元モード時について説明するが、２次元モードでも同様の動作を実現できる。
【０１０４】
画面生成部２０５は、３次元モードを設定している場合、設定不可能な記録モードにカーソルが位置した場合、警告メッセージを付した画面を生成する。要するに、ユーザが設定不可能な記録モードを選択した場合、画面生成部２０５は警告メッセージをディスプレイ２に表示させる。
【０１０５】
図８は、警告メッセージを表示した予約画面を示す図である。
【０１０６】
図８（ａ）に示すように、３次元モードが設定されている場合、予約画面上のカーソルは、第２の記録モードに配置する。このとき、第２の記録モードから、第４の記録モードにカーソルを移動したとする。そのとき、画面生成部２０５は、図８（ｂ）に示すように、第４の記録モードが設定不可能なことを示す、例えば「３Ｄ映像の番組を録画する場合、選択された記録モードを使うことはできません。」という警告メッセージＭ２が付加された予約画面を生成する。
【０１０７】
また、画面生成部２０５は、図９に示すような警告メッセージを付加した予約画面を生成しても構わない。図９に示すように、画面生成部２０５は、２次元モードで設定可能な記録モードのうち、一部の記録モードが制限されていることを示す、例えば「記録モードが制限されています。」という警告メッセージＭ３を予約画面に付加する。
【０１０８】
警告メッセージは、最も目標記録レートの高い記録モードを推奨することを示す、例えば「第１の記録モードを推奨します。」というメッセージでもよい。
【０１０９】
または、警告メッセージは、２次元モードで選択可能な記録モードのうち、低レートの記録モードが制限されていることを示す、例えば「低レートの記録モードが禁止されています。」というメッセージでもよい。
【０１１０】
１−３−５−２．警告メッセージの付加動作
以下、画面生成部２０５が予約画面に警告メッセージを付加する動作について、図面を参照しながら説明する。
【０１１１】
図１０は、画面生成部２０５が、予約画面に警告メッセージを付加する処理の一例を示すフローチャートである。図１１は、３次元モードが設定されている場合に画面生成部２０５が生成する予約画面の一例を示す図である。
【０１１２】
画面生成部２０５は、まず、図７（ａ）に示す画面を生成する。この場合、画面生成部２０５は、図７（ａ）に示す複数の記録モードのいずれかにカーソルを配置し、強調表示する（ステップＳ６０１）。
【０１１３】
次に、制御部２０４は、３Ｄ映像判定部２０１から得た情報に基づいて、動作モードを、２次元モードまたは３次元モードに設定する。さらに、ユーザがカーソルを合わせた記録モードが現在設定できる記録モードか否かを判定する（ステップＳ６０２）。３次元モードかつ、選択不可能な記録モードである場合（ステップＳ６０２でＮｏの場合）、ステップＳ６０３に移行する。一方、それ以外の場合、ステップＳ６０４に移行する。
【０１１４】
ステップＳ６０２において、３次元モード、かつ設定不可能な記録モードである場合（ステップＳ６０２でＹｅｓの場合）、画面生成部２０５は図１１のように例えば「３Ｄ映像の番組を録画する場合は、第１の記録モード、もしくは第２の記録モードによる録画を推奨します。」という警告メッセージＭ４を表示した上で、予約画面を生成する（ステップＳ６０３）。ステップＳ６０２においてＮｏである場合、画面生成部２０５は警告メッセージを表示せずに、録画画面を生成する（ステップＳ６０４）。
【０１１５】
なお、２次元モード設定時に設定できない記録モードが強調表示される場合、画面生成部２０５は警告メッセージを付した画面を生成する構成にしても構わない。
【０１１６】
１−４．まとめ
本実施形態１におけるレコーダ装置１は、入力ストリームを処理して記録用ストリームに変換する際の変換モードを、入力ストリームを２次元の記録用ストリームに変換する２次元モードと、入力ストリームを３次元の記録用ストリームに変換する３次元モードと、のいずれかに設定する制御部２０４と、前記２次元モードと前記３次元モードのそれぞれにおいて前記映像信号を変換処理する際に使用可能な、記録レートを特定する少なくとも一つの記録モードを設定する制御部２０４と、設定された変換モード及び設定された記録モードに基づいて前記映像信号を処理して記録用映像信号に変換する信号処理部１０４と、を備え、制御部２０４は、２次元モードを設定している時に設定できる記録モードの組み合わせと３次元モードを設定している時に設定できる記録モードの組み合わせとが異なるように記録モードを設定する。
【０１１７】
このようにすれば、レコーダ装置１は、３次元モードに設定されているときと、２次元モードに設定されているときとで、ユーザに対して、組み合わせの異なる記録モードを提示できる。これにより、入力ストリームの変換動作を設定する際、２Ｄ映像と３Ｄ映像とのそれぞれの映像特性に合った記録モードを設定可能にすることが出来る。３Ｄ映像においては、２Ｄ映像と比較して、ユーザが映像を視認する際に、ブロックノイズやモスキートノイズなどの符号化歪みが画質に対してより悪い影響を及ぼす。３Ｄ映像の記録時と２Ｄ映像の記録時において利用できる記録モードを異ならせることで、２Ｄ映像の記録時には、多様な記録モードの利用を可能としつつ、３Ｄ映像の記録時には、ブロックノイズ等が発生し易い低記録レートの記録モードの利用を禁止することができる。これにより、２Ｄ映像の記録時のユーザの利便性を保持しつつ、画質の悪い３Ｄ映像の記録を防止することが可能となる。したがって、映像形式の如何によらず、ユーザが良好に視認できる映像を提示するレコーダ装置１を提供することができる。
【０１１８】
また、好ましくは、制御部２０４は、３次元モードにおいて、２次元モードで設定できる記録モードのうち、少なくとも記録レートが最も低い記録モードの設定を禁止する。
【０１１９】
このようにすれば、３次元モードが設定されている場合、ユーザは、２次元モードで選択可能な記録モードのうち、少なくとも記録レートが最も低い記録モードを選択することができない。これにより、ユーザが映像を視認する際における、ブロックノイズやモスキートノイズなどの符号化歪みによる影響を確実に少なくすることができる。したがって、ユーザが３次元モードでいずれの選択可能な記録モードを設定した場合であっても、記録用ストリームの最低画質を保証できる。
【０１２０】
また、好ましくは、制御部２０４は、３次元モードにおいて、２次元モードで設定できる記録モードのうち、記録レートが最も高い記録モード以外の記録モードを少なくとも１つ以上禁止する。
【０１２１】
このようにすれば、３次元モードが設定されている場合、ユーザは、必ず記録レートが最も高い記録モードを選択することが出来る。これにより、３次元モードで得られる記録用ストリームの最高画質を保証できる。
【０１２２】
また、好ましくは、２次元モードにおいて前回制御部２０４が設定した記録モードを示す情報と、３次元モードにおいて前回制御部２０４が設定した記録モードを示す情報と、を記憶するフラッシュメモリ１０７を備える。
【０１２３】
このようにすれば、２次元モードおよび３次元モードにおいて前回に設定した記録モードを示す情報を記憶することができる。これにより、２次元モードにおけるリジューム機能と３次元モードにおけるリジューム機能を独立に実現できる
【０１２４】
また、好ましくは、制御部２０４は、少なくとも前記フラッシュメモリ１０７で記憶されている情報に基づいて信号処理部１０４が変換処理する際の記録モードを設定しようとする動作モードを、有する。
【０１２５】
このようにすれば、前回に設定した記録モードを現在の２次元モードおよび３次元モードにおいて設定することができる。これにより、２次元モードにおけるリジューム機能と３次元モードにおけるリジューム機能を独立に実現できる。
【０１２６】
また、好ましくは、制御部２０４が設定する記録モードを選択するために用いる選択画面を生成する画面生成部２０５をさらに備え、画面生成部２０５は、制御部２０４が３次元モードを設定している場合、制御部２０４が２次元モードを設定している場合と比較して制御部２０４で設定できる記録モードが制限されていることを示す情報を付加した選択画面を生成する。
【０１２７】
このようにすれば、３次元モードを設定している場合、ユーザに対して、２次元モードで設定できる記録モードのうち、一部の記録モードが制限されていることを視認させることが出来る。これにより、ユーザは、３次元モードを設定した場合であっても、ユーザのレコーダ装置の動作に対する違和感を低減させることが出来る。
【０１２８】
また、好ましくは、制御部２０４で設定できる記録モードが制限されていることを示す情報は、制御部２０４が２次元モードを設定しているときに制御部２０４で設定できる記録モードのうち、記録レートが低い記録モードが禁止されていることを示す情報を含む。
【０１２９】
このようにすれば、３次元モードを設定している場合、ユーザに対して、２次元モードで設定できる記録モードのうち、記録レートの低い記録モードが制限されていることを視認させることが出来る。これにより、３次元モードを設定し選択できる記録モードが制限されている場合に、記録モードが制限されていることについてユーザが誤解するのを低減できる。
【０１３０】
また、好ましくは、制御部２０４が設定する記録モードを選択するために用いる選択画面を生成する画面生成部２０５をさらに備え、画面生成部２０５は、制御部２０４が３次元モードを設定している場合、御部２０４で設定できる記録モードのうち記録レートが高い記録モードを推奨する情報を付加した選択画面を生成する。
【０１３１】
このようにすれば、３次元モードを設定している場合、ユーザに対して、最も記録レートの高い記録モードを薦めることが出来る。これにより、ユーザが最も記録レートの高い記録モードを選択する可能性を向上させることが出来る。
【０１３２】
また、好ましくは、制御部２０４が設定する記録モードを選択するために用いる選択画面を生成する画面生成部２０５をさらに備え、画面生成部２０５は、制御部２０４が３次元モードを設定している場合、制御部２０４が２次元モードを設定しているときに制御部２０４で設定できる記録モードが制限されていることを示す情報を付加した選択画面を生成する。
【０１３３】
このようにすれば、３次元モードを設定している場合、ユーザに対して、２次元モードで設定できる記録モードのうち、一部の記録モードが制限されていることを視認させることが出来る。これにより、ユーザは、３次元モードを設定した場合であっても、ユーザのレコーダ装置の動作に対する違和感を低減させることが出来る。
【０１３４】
（実施形態２）
実施形態１において、フラッシュメモリ１０７が、前回の２次元モード時に設定した記録モードを記憶する構成を説明した。さらにフラッシュメモリ１０７は、前回の３次元モード時に設定した記録モードを記憶する構成を説明した。また、画面生成部２０５が、複数の記録モードのうち特定の記録モードを選択状態とすることを説明した。さらに、３次元モードが設定された場合、画面生成部２０５がフラッシュメモリ１０７に記憶される前回の３次元モード時に設定した記録モードを選択状態とする構成を説明した。さらに、２次元モードが設定された場合、画面生成部２０５がフラッシュメモリ１０７に記憶される前回の２次元モード時に設定した記録モードを選択状態とする構成を説明した。そして、画面生成部２０５は選択状態としている記録モードを強調表示した予約画面を生成する構成を説明した。
【０１３５】
しかし、レコーダ装置１が前回の２次元モード時に設定した記録モードと、前回の３次元モード時に設定した記録モードと、をそれぞれ記憶するフラッシュメモリ１０７を有するとは限らない。つまり、フラッシュメモリ１０７は、１つの記録モードしか記憶できないことが考えられる。
【０１３６】
このような構成では、前回に設定した記録モードが、現在設定している２次元モードまたは３次元モードにおいて設定できないことがある。この場合、画面生成部２０５が前回に設定した記録モードを選択状態とし、当該記録モードを強調表示した予約画面を生成する動作では、ユーザの操作性が悪くなる。例えば、選択できない記録モードを選択状態としても、ユーザはその位置からカーソルを移動させなければならず、操作性が悪くなる。
【０１３７】
そこで、本実施形態２では、上記の課題に対して、現在設定している２次元モードまたは３次元モードにおいて設定可能な記録モードを容易に選択可能とするレコーダ装置を提供することを目的とする。
【０１３８】
本実施形態２におけるレコーダ装置は、本実施形態１におけるレコーダ装置１と比較して、フラッシュメモリ１０７および画面生成部２０５の動作が異なる。以下、フラッシュメモリ１０７および画面生成部２０５との違いについて詳細に説明する。なお、フラッシュメモリ１０７および画面生成部２０５以外の構成については、本実施形態１におけるレコーダ装置１の動作と同じである。そのため、本実施形態２における各構成には、本実施形態１と同じ番号を付し、その詳細な説明を省略する。
【０１３９】
２−１．レコーダ装置とその周辺装置
以下、本実施形態２におけるレコーダ装置について図面を参照しながら説明する。
【０１４０】
図１２は、本実施形態２における信号処理部１７０２の構成を示す図である。なお、本実施形態１と同様の構成については、その説明を省略し、同じ番号を付す。
【０１４１】
本実施形態２におけるレコーダ装置は、実施形態１のレコーダ装置１と比較して新たにフラッシュメモリ１７０１を備える。
【０１４２】
フラッシュメモリ１７０１は、信号処理部１７０２が実行するプログラム等を記憶している。また、フラッシュメモリ１７０１は、前回に信号処理部１７０２が設定した記録モードを保持する。フラッシュメモリ１７０１は、実施形態１のフラッシュメモリ１０７とは異なり、３次元モードおよび２次元モードの区別なく前回に設定した記録モードを１つ記憶する。
【０１４３】
信号処理部１７０２は、実施形態１の信号処理部１０４が有する機能を備える。信号処理部１７０２は、フラッシュメモリ１０７に記憶される前回に選択した記録モードを基に、選択状態とする記録モードを設定する機能を有する。この機能は、現在設定している２次元モードまたは３次元モードではフラッシュメモリ１７０１に記憶されている記録モードが選択不可能である場合、選択不可能な記録モード以外の記録モードを選択状態とする機能である。特に、信号処理部１７０２は新たに画面生成部１７０３を有する。
【０１４４】
２−１−１．画面生成部
次に、画面生成部１７０３の具体的な構成について図面を参照しながら説明する。
【０１４５】
画面生成部１７０３は、制御部２０４の制御情報に基づいてディスプレイ２に表示する画面を生成する。また、画面生成部２０５は、制御部２０４からの制御情報に基づいて、生成する画面で選択状態とする記録モードを設定する。さらに、画面生成部１７０３は、フラッシュメモリ１７０１に記憶される前回に設定した記録モードを用いて、生成する画面で選択状態とする記録モードを設定する。また、画面生成部１７０３は、選択状態に設定した記録モードを強調表示した画面を生成する。
【０１４６】
２−２．画面生成部の動作
２−２−１．選択状態と設定する際の動作
以下、画面生成部１７０３の具体的な動作について図面を参照しながら説明する。
【０１４７】
図１３は、記録モードを選択状態とする処理の一例を示すフローチャートである。
【０１４８】
まず、制御部２０４は、３Ｄ映像判定部２０１から得た情報に基づいて現在受信している番組のモードが２次元モードか３次元モードかを判定する（ステップＳ１８０１）。３次元モードと判定した場合（ステップＳ１８０１のＹｅｓの場合）、ステップＳ１８０２に移行する。一方、２次元モードと判定した場合（ステップＳ１８０１でＮｏの場合）、ステップＳ１８０３に移行する。なお、制御部２０４は、受信部１０５からの信号に基づいて２次元モードまたは３次元モードを設定してもよい。この場合、ユーザからの信号に基づいて２つのモードを設定することが出来る。
【０１４９】
ステップＳ１８０１において、２次元モードと判定した場合（ステップＳ１８０１でＮｏの場合）、制御部２０４は、特定の記録モードを設定可能とする（ステップＳ１８０３）。例えば、制御部２０４は、目標記録レートが１６Ｍｂｐｓ、８Ｍｂｐｓ、３Ｍｂｐｓおよび１Ｍｂｐｓに対応する記録モードを設定可能とする。これより、ユーザはこの１６Ｍｂｐｓから１Ｍｂｐｓに対応する４種類の記録モードを選択できる。
【０１５０】
一方、ステップＳ１８０１において、３次元モードと判定した場合（ステップＳ１８０１でＹｅｓの場合）、制御部２０４は、２次元モードとは組み合わせの異なる特定の記録モードを設定可能とする（S１８０２）。具体的には制御部２０４は２次元モードで設定可能な記録モードのうち一部の記録モードまたは新たな記録モードを設定可能とする。例えば、制御部２０４は、目標記録レートが１６Ｍｂｐｓ、１２Ｍｂｐｓおよび８Ｍｂｐｓに対応する記録モードを設定可能とする。これにより、ユーザはこの１６Ｍｂｐｓから８Ｍｂｐｓに対応する３種類の記録モードを選択できる。
【０１５１】
次に、画面生成部１７０３は、フラッシュメモリ１７０１に記憶されている前回に設定した記録モードの読出しを行う（ステップＳ１８０４）。
【０１５２】
そして、画面生成部１７０３は、読み出した記録モードが、現在設定可能な記録モードに含まれるか否かを判定する（ステップＳ１８０５）。読み出した記録モードが現在設定可能な記録モードに含まれる場合、ステップＳ１８０６に移行する。読み出した記録モードが現在設定可能な記録モードに含まれない場合、ステップＳ１８０７に移行する。例えば、読み出した記録モードに対応する目標記録レートが１６Ｍｂｓであり、かつ目標記録レートが１６Ｍｂｐｓ、１２Ｍｂｐｓおよび８Ｍｂｐｓに対応する記録モードが設定可能である場合、ステップＳ１８０６に移行する。一方、読み出した記録モードに対応する目標記録レートが１Ｍｂｓであり、かつ目標記録レートが１６Ｍｂｐｓ、１２Ｍｂｐｓおよび８Ｍｂｐｓに対応する記録モードが設定可能である場合、ステップＳ１８０７に移行する。
【０１５３】
ステップＳ１８０５においてＹｅｓの場合、画面生成部１７０３は読出した記録モードを選択状態に設定する（ステップＳ１８０６）。選択状態とは、ユーザがカーソルにより特定の記録モードを選択している状態である。そして、この図１３に示すフローチャートによる処理を終了する。例えば、目標記録レートが１６Ｍｂｓに対応する記録モードを読み出した場合、画面生成部１７０３はこの記録モードを選択状態と設定する。
【０１５４】
一方、ステップＳ１８０５においてＮｏの場合、画面生成部１７０３は設定可能な記録モードのいずれかの記録モードを選択状態とする（ステップＳ１８０７）。そして、この図１３に示すフローチャートによる処理を終了する。例えば、画面生成部１７０３は現在設定可能な記録モードのうち、最も記録レートの高い記録モードを選択状態と設定する。
【０１５５】
なお、ステップＳ１８０６において、現在設定可能な記録モードのうち、読み出した記録モード以外の記録モードを選択状態とする構成にしてもよい。例えば、読み出した記録モードに対応する目標記録レートが１６Ｍｂｓであり、かつ目標記録レートが１６Ｍｂｐｓ、１２Ｍｂｐｓおよび８Ｍｂｐｓに対応する記録モードが選択可能に設定されている場合、画面生成部１７０３は１２Ｍｂｐｓまたは８Ｍｂｐｓに対応する記録モードを選択状態としてもよい。
【０１５６】
なお、ステップＳ１８０７において、画面生成部１７０３は現在設定可能な記録モードのうち、最も記録レートの低い記録モードを選択状態としてもよい。また、画面生成部１７０３は、読出した記録モードの目標記録レートに一番近い記録レートに対応する記録モードを選択状態にしてもよい。この場合、ユーザは自然に以前に録画した映像信号の画質に近い映像信号を録画できる。
【０１５７】
２−２−２．画面生成部により生成される画面
以下、画面生成部１７０３が生成する画面について図面を参照しながら説明する。
【０１５８】
画面生成部１７０３は、２−２−１に記載した動作に基づき、選択状態の記録モードが強調表示された画面を生成する。具体的には、画面生成部１７０３は、選択状態の記録モードにカーソルが位置する画面を生成する。
【０１５９】
以下、画面生成部１７０３が生成する画面について、以下の４つの遷移パターンについて説明をする。
【０１６０】
（１）現在の設定が３次元モードであり、前回に設定した記録モードが設定可能である場合。
【０１６１】
（２）現在の設定が３次元モードであり、前回に設定した記録モードが設定不可能である場合。
【０１６２】
（３）現在の設定が２次元モードであり、前回に設定した記録モードが設定可能である場合。
【０１６３】
（４）現在の設定が２次元モードであり、前回に設定した記録モードが設定不可能である場合。
【０１６４】
以下、説明の便宜上、制御部２０４が２次元モードにおいて、第１の記録モード、第２の記録モード、第３の記録モードおよび第４の記録モードを設定可能な場合を考える。また、制御部２０４は３次元モードにおいて、第１の記録モードおよび第２の記録モードを設定可能な場合を考える。なお、上記の構成に限定されるものではなく、３次元モードで設定できる記録モードは、２次元モードで設定できる記録モードと組み合わせが異なればよい。
【０１６５】
２−２−２−１．パターン（１）に関して
現在の設定が３次元モードであり、前回に設定した記録モードが設定可能である場合について説明する。
【０１６６】
図１４は、カーソル移動の一例を示す図である。
【０１６７】
図１４（ａ）は、前回の予約動作において、ユーザが２次元モードを設定し、さらに第２の記録モードを設定したことを示す図である。この場合、フラッシュメモリ１７０１には第２の記録モードが記憶される。
【０１６８】
図１４（ｂ）は、図１４（ａ）の状態から３次元モードを設定した場合に、画面生成部１７０３が生成する画面を示す図である。
【０１６９】
図１４（ａ）に示すように、２次元モードが設定されている場合、予約画面上のカーソル位置は、第２の記録モードに位置する。このとき、２次元モードから３次元モードに設定変更すると、カーソルの位置は、図１４（ｂ）に示す位置になる。つまり、カーソル位置は、前回に設定した第２の記録モードの位置となる。なお、（１）において、画面生成部１７０３は３次元モードで設定可能な記録モードのうち、最も目標記録レートの高い記録モードにカーソルが位置する画面を生成してもよい。
【０１７０】
なお、制御部２０４が設定する記録モードの組合せは上記の構成に限定されず、他の組み合わせでも構わない。
【０１７１】
２−２−２−２．パターン（２）に関して
現在の設定が３次元モードであり、前回に設定した記録モードが設定可能不可能である場合について説明する。
【０１７２】
図１５は、カーソル移動の一例を示す図である。
【０１７３】
図１５（ａ）は、前回の予約動作において、ユーザが２次元モードを設定し、第３の記録モードを設定したことを示す図である。この場合、フラッシュメモリ１７０１には第３の記録モードが記憶される。
【０１７４】
図１５（ｂ）は、図１５（ａ）の状態から３次元モードを設定した場合に、画面生成部１７０３が生成する画面を示す図である。
【０１７５】
図１５（ａ）に示すように、２次元モードが設定されている場合、予約画面上のカーソル位置は、第３の記録モードに位置する。このとき、２次元モードから３次元モードに設定変更すると、カーソルの位置は、図１４（ｂ）に示す位置になる。つまり、カーソル位置は、フラッシュメモリ１７０１に記憶する記録モードとは異なる第２の記録モードの位置となる。つまり、画面生成部１７０３は３次元モードで設定可能な記録モードのうち最も目標記録レートの低い記録モードにカーソルが位置する画面を生成する。なお、（２）において、画面生成部１７０３は３次元モードで設定可能な記録モードのうち、最も目標記録レートの高い記録モードにカーソルが位置する画面を生成してもよい。
【０１７６】
また、画面生成部１７０３は、図１６に示すように、図１５（ｂ）とは異なり、第３の記録モードおよび第４の記録モードを表示する画面を生成しても構わない。この場合、第３の記録モードおよび第４の記録モードの色を薄く表示し、設定不可能であることを表現する。またこの場合、第３の記録モードおよび第４の記録モードのオブジェクトを網掛けで表示し、設定不可能であることを表現しても構わない。要するに、ユーザが画面に表示されるオブジェクトを視認した際、設定不可能であると認識できる態様であればどのような形式でも構わない。
【０１７７】
２−２−２−３．パターン（３）に関して
現在の設定が２次元モードであり、前回に設定した記録モードが設定可能である場合について説明する。
【０１７８】
この場合、画面生成部１７０３は、２次元モードで設定可能な記録モードのうち任意の記録モードにカーソルが位置する画面を生成する。なお、好ましくは前回に設定した記録モードにカーソルが位置する画面を生成する。
【０１７９】
２−２−２−４．パターン（４）に関して
現在の設定が２次元モードであり、前回に設定した記録モードが設定不可能である場合について説明する。
【０１８０】
図１７は、カーソル移動の一例を示す図である。
【０１８１】
図１７（ａ）は、前回の予約動作において、ユーザが３次元モードを設定し、さらに第５の記録モードを設定したことを示す図である。この場合、フラッシュメモリ１７０１にはこの第５の記録モードが記憶される。
【０１８２】
図１７（ｂ）は、図１７（ａ）の状態から２次元モードを設定した場合、画面生成部１７０３が生成する画面を示す図である。
【０１８３】
図１７（ａ）に示すように、３次元モードが設定されている場合、予約画面上のカーソル位置は、第５の記録モードに位置する。このとき、３次元モードから２次元モードに設定変更すると、カーソルの位置は、図１７（ｂ）に示す位置になる。つまり、カーソル位置は、フラッシュメモリ１７０１に記憶する記録モードとは異なる第１の記録モードの位置となる。つまり、画面生成部１７０３は２次元モードで設定可能な記録モードのうち最も目標記録レートの高い記録モードにカーソルが位置する画面を生成する。なお、（２）において、画面生成部１７０３は２次元モードで設定可能な記録モードのうち、最も目標記録レートの低い記録モードにカーソルが位置する画面を生成してもよい。また、画面生成部１７０３は、フラッシュメモリ１７０１に記憶される記録モードの目標記録レートに近い目標記録レートを有する記録モードにカーソルが位置する画面を生成しても構わない。
【０１８４】
２−３．まとめ
上記のレコーダ装置は、本実施形態１のレコーダ装置１が有する構成要素と異なり、前回前記制御部２０４が設定した記録モードを示す情報を記憶するフラッシュメモリ１７０１と、を備え、前記制御部２０４は、少なくとも前記フラッシュメモリ１７０１で記憶されている情報に基づいて前記信号処理部１０４が変換処理する際の記録モードを設定しようとする動作モードを、有し、前記動作モードにおいて、前記フラッシュメモリ１７０１で記憶されている情報が示す記録モードが、前記制御部２０４が設定している２次元モードまたは３次元モードにおいて設定できない記録モードである場合、前記フラッシュメモリ１７０１で記憶されている情報が示す記録モードに替えて他の記録モードを設定する。
【０１８５】
このようにすれば、前回に設定した記憶モードを記憶することができる。そして、記録した記録モードを用いて記録モードを設定することができる。さらに、前回の記録モードが現在設定している２次元モードまたは３次元モードにおいて設定できない場合でも、前回の記録モードに替えて他の記録モードを設定することができる。これにより、ユーザの操作性を向上させることが出来る。
【０１８６】
また、好ましくは、前記制御部２０４は、前記他の記録モードとして、前記制御部２０４が設定している２次元モードまたは３次元モードにおいて設定できる記録モードのうちいずれかの記録モードを設定する。
【０１８７】
このようにすれば、本実施形態２のレコーダ装置は、２次元モードまたは３次元モードを設定した際、現在設定している２次元モードまたは３次元モードで設定できる記録モードを自動的に設定できる。これにより、ユーザは、常に現在のモードで設定できる記録モードから操作を開始または設定することができる。
【０１８８】
また、好ましくは、前記制御部２０４は、前記他の記録モードとして、前記制御部２０４が設定している２次元モードまたは３次元モードにおいて設定できる記録モードのうち記録レートが最も低い記録モードを設定する。
【０１８９】
このようにすれば、２次元モードまたは３次元モードを設定した際、設定した２次元モードまたは３次元モードにおいて設定できる記録モードのうち記録レートが最も低い記録モードを自動的に設定できる。これにより、ユーザは常に設定した２次元モードまたは３次元モードで設定できる記録モードのうち記録レートが最も低い記録モードから操作を開始または設定することができる。
【０１９０】
また、好ましくは、前記制御部２０４は、前記他の記録モードとして、前記制御部２０４が設定している２次元モードまたは３次元モードにおいて設定できる記録モードのうち記録レートが最も高い記録モードを設定する。
【０１９１】
このようにすれば、２次元モードまたは３次元モードを設定した際、設定した２次元モードまたは３次元モードにおいて設定できる記録モードのうち記録レートが最も高い記録モードを自動的に設定できる。これにより、ユーザは常に設定した２次元モードまたは３次元モードで設定できる記録モードのうち記録レートが最も高い記録モードから操作を開始または設定することができる。
【０１９２】
また、好ましくは、前回前記制御部２０４で設定された記録モードを示す情報を記憶するフラッシュメモリ１７０１と、前記制御部２０４が設定する記録モードを選択するために用いる選択画面を生成する画面生成部１７０３と、を備え、前記画面生成部１７０３は、前記フラッシュメモリ１７０１で記憶されている情報に基づいて、現在設定されている２次元モードまたは３次元モードにおいて前記制御部２０４が設定できる記録モードのうちいずれかを強調表示する。
【０１９３】
このようにすれば、記憶部に記憶される記録モードを基に、現在設定されている２次元モードまたは３次元モードにおいて設定できる記録モードのいずれかが強調表示されている画面をユーザに提示することができる。これにより、ユーザの操作性を向上させることができる。
【０１９４】
（その他の実施形態）
以上、実施形態１、２の形態について説明したが、本発明はこれに限定されるものではない。
【０１９５】
実施形態１，２においては、ビデオレコーダの放送波を受信して得られた番組情報にしたがって、３次元モードであるか、２次元モードの設定をした。しかし、入力ストリームを復号した時に得られる、入力ストリームのヘッダ情報などの符号化情報に基づいて設定してもよい。また、左目用の画像データと、右目用の画像データについてマッチング処理を実行し、得られた相関度に基づいて、設定してもよい。また、リモコン装置７を用いてユーザが指定する構成にしてもよい。この場合、リモコン装置７は３次元モードボタンおよび２次元モードボタンを備える。
【０１９６】
また、実施形態１，２においては、２次元モード時に設定できる記録モードと、３次元モード時に設定できる記録モードで、組み合わせが異なる場合について説明した。しかし、２次元モード時に設定できる記録モードと、３次元モード時に設定できる記録モードの組み合わせを同じにした上で、３次元モードで、かつ記録レートが低い記録モードを選択する場合に、例えば、図１１に示すような警告メッセージを表示してもよい。この場合、警告メッセージは表示されるが、３次元モード時に設定できる記録モードは２次元モードと同じであるため、３次元モード時に選択不可能になる記録モードは存在しない。しかし、警告メッセージを表示することにより、記録レートの高い記録モードをユーザが選択する可能性を高めることができる。
【０１９７】
また、実施形態１、２においては、ポップアップなどの表示方法を用いて、警告メッセージを表示した。しかし、これらに限定されるものではなく、メッセージを伝えることができれば、他の表示方法であってもよい。例えば、音声ガイダンスを用いて警告メッセージを伝える構成でも構わない。
【０１９８】
また、実施形態１，２においては、画面を生成してディスプレイに表示することによってユーザに番組情報や録画条件を提示した。しかし、音声などを用いて提示してもよい。
【０１９９】
また、実施形態１において、図７（ａ）に示す２次元モードの予約画面で記録モードの選択操作が行われている途中で、ユーザによりリモコン装置７に対して３次元モードへの変更操作が行われた場合、図７（ｂ）に示す３次元モードの予約画面を表示するようにしてもよい。また、図７（ｂ）に示す３次元モードの予約画面で記録モードの選択操作が行われている途中で、ユーザによりリモコン装置７に対して２次元モードへの変更操作が行われた場合、図７（ａ）に示す２次元モードの予約画面を表示するようにしてもよい。
【０２００】
また、レコーダ装置において、３Ｄ安全モードを設け、３Ｄ安全モードがオンの場合に、本実施形態における動作を実施させ、３Ｄ安全モードがオフの場合は、３Ｄ映像と２Ｄ映像で選択できる記録モードを区別しないという構成にしてもよい。
【０２０１】
また、実施形態１，２においては、本発明をレコーダ装置に適用した場合を説明した。しかし、本発明は、３Ｄ映像と２Ｄ映像の両方を撮影できるビデオカメラやデジタルカメラにも適用可能である。なお、この場合、３Ｄ映像を撮影するモードか、２Ｄ映像を撮影するモードかによって、３次元モードと、２次元モードの設定が出来る。
【０２０２】
なお、本発明は、映像信号変換装置が具備する各手段を各ステップとする映像信号変換方法や、映像信号変換装置が具備する各手段を備える映像信号変換集積回路、および映像信号変換方法を実現することができる映像信号変換プログラムに適用することも可能である。
【０２０３】
この映像信号変換プログラムは、ＣＤ−ＲＯＭ（Ｃｏｍｐａｃｔ  Ｄｉｓｃ−Ｒｅａｄ  Ｏｎｌｙ  Ｍｅｍｏｒｙ）等の記録媒体やインターネット等の通信ネットワークを介して流通させることができる。
【０２０４】
また、映像信号変換集積回路は、典型的な集積回路であるＬＳＩとして実現することができる。この場合、ＬＳＩは、１チップで構成しても良いし、複数チップで構成しても良い。例えば、メモリ以外の機能ブロックを１チップＬＳＩで構成しても良い。なお、ここではＬＳＩとしたが、集積度の違いにより、ＩＣ、システムＬＳＩ、スーパーＬＳＩまたはウルトラＬＳＩと呼称されることもある。
【０２０５】
また、集積回路化の手法はＬＳＩに限るものではなく、専用回路または汎用プロセッサで実現してもよいし、ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０２０６】
さらに、半導体技術の進歩または派生する別技術によりＬＳＩに置き換わる集積回路化の技術が登場すれば、当然、その技術を用いて機能ブロックの集積化を行ってもよい。例えば、バイオ技術の適応等がその可能性として有り得ると考えられる。
【０２０７】
また、集積回路化に際し、各機能ブロックのうち、データを格納するユニットだけを１チップ化構成に取り込まず、別構成としても良い。
【０２０８】
この映像信号変換装置は、２Ｄ映像及び３Ｄ映像を撮像可能なビデオカメラ、デジタルカメラ等に適用できる。この場合、３Ｄ映像の撮影が３Ｄコンバージョンレンズをカメラ本体に取り付けることにより可能となる場合、３Ｄコンバージョンレンズが取り付けられたことにより記録モードを３次元モードに設定し、３Ｄコンバージョンレンズが取り付けられていないときは記録モードを２次元モードに設定するようにしてもよい。
【産業上の利用可能性】
【０２０９】
本発明に係る映像信号変換装置は、ユーザが快適に３Ｄ映像を視聴することができるように、映像信号を圧縮符号化などの処理を行い、記録用映像信号に変換することができる。そのため、この映像信号変換装置は、ビデオレコーダ、ビデオカメラ、デジタルカメラ、パーソナルコンピュータ、カメラ付き携帯電話機等に適用できる。
【符号の説明】
【０２１０】
１、１７０２  レコーダ装置
２  ディスプレイ
３  ＢＤディスク
４  ＨＤＤ装置
５  ＳＤカード
６  アンテナ
７  リモコン装置
１０１  ドライブ装置
１０２  入出力ＩＦ部
１０３  チューナ
１０４  信号処理部
１０５  受信部
１０６  バッファメモリ
１０７、１７０１  フラッシュメモリ
２０１  ３Ｄ映像判定部
２０２  復号部
２０３  符号化部
２０４  制御部
２０５、１７０３  画面生成部
【図１】
0005420074.tif 000002
【図２】
0005420074.tif 000003
【図３】
0005420074.tif 000004
【図４】
0005420074.tif 000005
【図５】
0005420074.tif 000006
【図６】
0005420074.tif 000007
【図７】
0005420074.tif 000008
【図８】
0005420074.tif 000009
【図９】
0005420074.tif 000010
【図１０】
0005420074.tif 000011
【図１１】
0005420074.tif 000012
【図１２】
0005420074.tif 000013
【図１３】
0005420074.tif 000014
【図１４】
0005420074.tif 000015
【図１５】
0005420074.tif 000016
【図１６】
0005420074.tif 000017
【図１７】
0005420074.tif 000018